(57)【要約】【課題】建築物の下側階と上側階との間で建築機材を容易に短時間で搬出入し得るようにする。【解決手段】この建築機材の搬出入装置は、建築物の下側階と上側階との間で建築機材を搬出入するために使用され、建築物１０の外面に沿って上下方向にガイドレール２１が配置され、ガイドレール２１は締結具である締結支柱２６によって建築物１０に締結され、締結支柱２６を外すことによりガイドレール２１は取り外される。ガイドレール２１にはこれに沿って転動するローラが取り付けられたガイドポスト３１を有する昇降台３０が上下動自在に組み付けられる。昇降台３０を上下動させることにより、たとえば２階で使用された建築機材を３階に搬送して３階の建築作業に使用することができる。【選択図】　　図２
2004143677.tif 000002
【特許請求の範囲】
【請求項１】
建築物に対して建築機材を搬出入する建築機材の搬出入装置であって、
前記建築物の外面に沿って上下方向に相互に平行に配置される複数のガイドレールと、
それぞれの前記ガイドレールを前記建築物に着脱自在に締結する締結具と、
それぞれの前記ガイドレールに沿って転動するローラがそれぞれ設けられた複数のガイドポストと、
前記ガイドポストに取り付けられる昇降ステージを備え、前記ガイドレールに沿って上下方向に移動する昇降台と、
前記昇降台を前記ガイドレールに沿って上下方向に駆動する駆動手段とを有することを特徴とする建築機材の搬出入装置。
【請求項２】
建築物に対して建築機材を搬出入する建築機材の搬出入装置であって、
前記建築物の外面に沿って上下方向に相互に平行に配置されたガイドレールに沿って転動するローラがそれぞれ設けられた複数のガイドポストと、
前記ガイドポストに取り付けられる昇降ステージを備え、前記ガイドレールに沿って上下方向に移動する昇降台と、
所定位置で停止させた状態のもとで前記昇降台に前記建築機材を収容し、前記昇降台により建築物の上側階に前記建築機材を搬送することを特徴とする建築機材の搬出入装置。
【請求項３】
建築物に対して建築機材を搬出入する建築機材の搬出入装置であって、
前記建築物の外面に沿って上下方向に相互に平行となって配置され、昇降台に取り付けられる複数のガイドポストに設けられたローラを案内する複数のガイドレールと、
それぞれの前記ガイドレールを前記建築物に着脱自在に締結する締結具とを有し、
前記昇降台を前記ガイドレールに沿って上下方向に案内するとともに前記昇降台を所定位置で停止させた状態のともで前記建築機材を建築物内に搬入することを特徴とする建築機材の搬出入装置。
【請求項４】
請求項１〜３のいずれか１項に記載の建築機材の搬出入装置において、前記昇降台を前記ガイドレールに対して所定の位置でロックするロック部材を有することを特徴とする建築機材の搬出入装置。
【請求項５】
請求項１〜４のいずれか１項に記載の建築機材の搬出入装置において、前記ガイドレールは前記建築物の１階相当分ないし複数回相当分の長さを有し、前記建築物の高さに応じて前記ガイドレールを連結することを特徴とする建築機材の搬出入装置。
【請求項６】
請求項１〜５のいずれか１項に記載の建築機材の搬出入装置において、前記昇降台を所定の位置に停止した状態のもとで地上側から前記建築機材を前記昇降台に搬入することを特徴とする建築機材の搬出入装置。
【請求項７】
請求項１〜６のいずれか１項に記載の建築機材の搬出入装置において、建築物に連結状態となって配置された複数のガイドレールのうち最下側のガイドレールを取り外し、最上側にガイドレールを連結し、連結状態の複数のガイドレールを建築物の上方側に移動させることを特徴とする建築機材の搬出入装置。
【請求項８】
請求項１〜７のいずれか１項に記載の建築機材の搬出入装置において、前記駆動手段は前記建築物または前記昇降台に設けられる昇降機であることを特徴とする建築機材の搬出入装置。
【発明の詳細な説明】
【０００１】
【発明の属する技術分野】
本発明は建設中の建築物の上下階の間で仮設機材や建築材料などの建築機材を移動する際に使用する建築機材の搬出入装置に関する。
【０００２】
【従来の技術】
オフィスビルやマンションなどの中層ないし高層の建築物を建築する際には、下側階から順次上側階を建築していくことになり、各階の基本的な骨格が建築された後には、建築物内部の配管作業、コンクリート打ち作業および内装作業などの各種作業が行われる。これらの作業を行うために、それに要する型枠、仮設足場および仮設走行台車などの建築機材や建築物に取り付けられる配管などの建築機材を外部から各階に搬入する建築機材の搬入作業を行う必要がある。
【０００３】
建築機材を建築物に搬入するために建築物に固定された架台に荷揚げ機を取り付けて、その荷揚げ機により建築機材を地上から架台に吊り上げた後に、建築物内に搬入するようにしている（たとえば、特許文献１参照）。
【０００４】
【特許文献１】
特開２０００−１４５１２９号公報
【０００５】
【発明が解決しようとする課題】
このように建築物に固定される架台に荷揚げ機を取り付けるようにした場合には、地上から建築物の所定階にまで建築機材を搬入することはできるが、上側の階に建築機材を搬送することは困難である。建築作業を行う場合には、たとえば、所定階の部分の工事が終了した後に、その階の建築に使用した型枠や仮設足場などの建築機材を上側階に搬送するようにしているが前述のように固定式の架台を使用した場合には、下側階から上側階に建築機材を搬送することはできない。このため、建築機材を下側階から上側階に使い回す場合には、従来では、建築物の外側に構築された足場を利用して作業者が人手によって建築機材を運搬する必要があり、作業が危険なだけでなく、時間がかかることになる。
【０００６】
本発明の目的は、建築物内への建築機材の搬入を容易に短時間で行い得るようにすることにある。
【０００７】
本発明の他の目的は、建築作業を短期間で迅速に行い得るようにすることにある。
【０００８】
【課題を解決するための手段】
本発明の建築機材の搬出入装置は、建築物に対して建築機材を搬出入する建築機材の搬出入装置であって、前記建築物の外面に沿って上下方向に相互に平行に配置される複数のガイドレールと、それぞれの前記ガイドレールを前記建築物に着脱自在に締結する締結具と、それぞれの前記ガイドレールに沿って転動するローラがそれぞれ設けられた複数のガイドポストと、前記ガイドポストに取り付けられる昇降ステージを備え、前記ガイドレールに沿って上下方向に移動する昇降台と、前記昇降台を前記ガイドレールに沿って上下方向に駆動する駆動手段とを有することを特徴とする。
【０００９】
本発明の建築機材の搬出入装置は、建築物に対して建築機材を搬出入する建築機材の搬出入装置であって、前記建築物の外面に沿って上下方向に相互に平行に配置されたガイドレールに沿って転動するローラがそれぞれ設けられた複数のガイドポストと、前記ガイドポストに取り付けられる昇降ステージを備え、前記ガイドレールに沿って上下方向に移動する昇降台と、所定位置で停止させた状態のもとで前記昇降台に前記建築機材を収容し、前記昇降台により建築物の上側階に前記建築機材を搬送することを特徴とする。
【００１０】
本発明の建築機材の搬出入装置は、建築物に対して建築機材を搬出入する建築機材の搬出入装置であって、前記建築物の外面に沿って上下方向に相互に平行となって配置され、昇降台に取り付けられる複数のガイドポストに設けられたローラを案内する複数のガイドレールと、それぞれの前記ガイドレールを前記建築物に着脱自在に締結する締結具とを有し、前記昇降台を前記ガイドレールに沿って上下方向に案内するとともに前記昇降台を所定位置で停止させた状態のともで前記建築機材を建築物内に搬入することを特徴とする。
【００１１】
本発明の建築機材の搬出入装置は、前記昇降台を前記ガイドレールに対して所定の位置でロックするロック部材を有することを特徴とする。また、前記ガイドレールは前記建築物の１階相当分ないし複数回相当分の長さを有し、前記建築物の高さに応じて前記ガイドレールを連結することを特徴とする。さらに、前記昇降台を所定の位置に停止した状態のもとで地上側から前記建築機材を前記昇降台に搬入することを特徴とする。
【００１２】
本発明の建築機材の搬出入装置は、建築物に連結状態となって配置された複数のガイドレールのうち最下側のガイドレールを取り外し、最上側にガイドレールを連結し、連結状態の複数のガイドレールを建築物の上方側に移動させることを特徴とする。また、前記駆動手段は前記建築物または前記昇降台に設けられる昇降機であることを特徴とする。
【００１３】
【発明の実施の形態】
以下、本発明の実施の形態を図面に基づいて詳細に説明する。図１は本発明の一実施の形態である建築機材の搬出入装置を示す正面図であり、図２は図１におけるＩＩ−ＩＩ線に沿う断面図である。図１および図２には建築中の建築物１０の一部が示されており、たとえば符号１１ａは建築物１０の２階部分のベランダを示す。これらの図には２階部分から６階部分のベランダ１１ｂ〜１１ｅが示されており、６階部分はまだ完成していない状態となって示されている。
【００１４】
２階部分の骨格の建築が完了した後には、その内部における各種作業を行うために、型枠や仮設足場などの建築機材が建築物内部に搬入される。そのために、建築物の外側には上下動案内装置２０が着脱自在つまり取り外し自在に装着され、この上下動案内装置２０には昇降台３０が組み付けられることになる。
【００１５】
図３は上下動案内装置２０を示す斜視図であり、図４は昇降台３０を示す斜視図である。図３に示すように、上下動案内装置２０はそれぞれ断面コの字形状となったチャンネル材からなる２本のガイドレール２１，２２を有している。これらのガイドレール２１，２２は相互に内側面が向き合うように対向し、下端部で連結棒材２３により相互に所定の間隔となるようにして連結されている。この連結棒材２３としては断面Ｌ字形状のチャンネル材が使用されているが、角パイプや角棒あるいは板材を使用するようにしても良い。それぞれのガイドレール２１，２２の下端部には連結棒材２３を介して脚部材２４ａ，２４ｂが取り付けられており、脚部材２４ａ，２４ｂの長手方向中央部とガイドレール２１，２２の間には補強棒材２５ａ，２５ｂが固定されている。なお、ガイドレール２１，２２の上端部相互間に連結棒材２３と同様の連結部材を取り付けて、連結強度を高めるようにしても良い。
【００１６】
前述した脚部材２４ａ，２４ｂは、ガイドレール２１，２２を建築物１０に取り付ける際には、建築物１０のベランダ上面に配置されることになる。ガイドレール２１，２２を建築物に着脱自在に締結するために、図２および図３に示すように、締結具として締結支柱２６が脚部材２４ａ，２４ｂと上側階のベランダの下面との間に組み付けられる。この締結支柱２６は２本のパイプ部２６ａ，２６ｂとこれらの間に組み込まれたねじ部２７とを有する。このねじ部２７に設けられたハンドル２７ａを操作して、ねじ部２７を回転させてパイプ部２６ａ，２６ｂを相互に接近させたり離反させることにより、締結支柱２６の全長を伸縮させることができる。したがって、締結支柱２６を収縮させた状態で脚部材２４ａ，２４ｂの上に締結支柱２６を配置した後に、締結支柱２６の全長を長くすることにより、ガイドレール２１，２２は脚部材２４ａ，２４ｂおよび締結支柱２６を介して建築物１０に締結されることになる。
【００１７】
それぞれのガイドレール２１，２２は上下方向に隣り合うベランダ相互間の距離に対応した長さを有しており、たとえば３．８ｍ〜４ｍ程度の長さに設定されている。したがって、建築作業が進行するに伴って順次上側階の部分の骨格の建築が終了すると、下側の上下動案内装置２０の上側に他の上下動案内装置２０を連結することになる。ガイドレール２１，２２を連結するために、ガイドレール２１，２２の両端部には、連結金具２８が取り付けられるようになっている。連結金具２８には複数の貫通孔２９ａが形成され、貫通孔２９ａに対応してガイドレール２１，２２の両端部にはねじ孔２９ｂが形成されている。したがって、貫通孔２９ａを貫通させてねじ孔２９ｂに図示しないボルトをねじ結合させることにより、連結金具２８を用いてガイドレール２１，２２を連結することができ、これにより複数の上下動案内装置２０を任意の段数だけ連結することができる。ただし、ガイドレール２１，２２を上下に連結するための連結手段としては、図示する連結金具２８に限られることなく、種々のタイプの連結金具を使用することができる。
【００１８】
一方、昇降台３０は図４に示すように、ガイドレール２１，２２に対応する２本のガイドポスト３１，３２を有し、これらのガイドポスト３１，３２は四辺形の昇降ステージ３３の基端部に取り付けられている。図示する場合にはそれぞれのガイドポスト３１，３２は昇降ステージ３３に固定されたブラケット３４にピン３５により結合されているが、ガイドポスト３１，３２を直接昇降ステージ３３に溶接などにより固定するようにしても良い。ただし、ガイドポスト３１，３２とをピン３５を用いて結合するようにすると、建築現場において昇降台３０を組み立てることができ、建築現場まで昇降台３０を分解した状態で搬送することができる。また、建築現場まではピン３５を中心にガイドポスト３１，３２を昇降ステージ３３に対して折り畳んだ状態でトラックなどにより搬送するようにしても良い。
【００１９】
昇降ステージ３３の先端部はチェーン３６によってガイドポスト３１，３２の上端部に連結され、チェーン３６によって昇降ステージ３３はガイドポスト３１，３２に対してほぼ直角となって建築物１０の外方に水平に突出することになる。チェーン３６を昇降ステージ３３とガイドポスト３１，３２とを連結するために、昇降ステージ３３の先端部の両側にはブラケット３７が固定され、ガイドポスト３１，３２にはブラケット３８が固定されている。
【００２０】
図４に示すチェーン３６に代えてワイヤー、ロープあるいは筋交いなど他の部材を用いるようにしても良い。また、昇降ステージ３３としては、チャンネル材からなる四辺形の枠体にエキスパンドメタルを取り付けるようにして形成しても良く、四辺形の金属製の板材を用いるようにしても良い。
【００２１】
昇降ステージ３３の先端部と両側部には、手摺り３９が取り付けられており、作業者が昇降ステージ３３の上で建築機材の搬入および搬出作業を行う場合の作業者の安全が図られており、さらに昇降ステージ３３の上に収容された建築機材が昇降台３０から落下することが防止される。手摺り３９は昇降ステージ３３から取り外し自在となっており、建築現場において手摺り３９を昇降ステージ３３に装着することができる。ただし、手摺り３９を予め昇降ステージ３３に固定するようにしても良い。また、地上側から昇降台３０に建築機材を搬入する際に、手摺り３９のたとえば先端側を取り外し得るようにしても良い。さらに、手摺り３９を昇降ステージ３３に折り畳むようにしても良い。
【００２２】
それぞれのガイドポスト３１，３２の上端部と下端部にはそれそれローラ４１が回転自在に取り付けられている。それぞれのローラ４１はガイドポスト３１，３２の外面に取り付けられ、ガイドレール２１，２２の内部に入り込むようになっている。したがって、建築現場において建築物にガイドレール２１，２２を締結した状態のもとで、ガイドレール２１，２２にローラ４１を滑り込ませることによって、昇降台３０をガイドレール２１，２２に組み付けることができる。それぞれのガイドポスト３１，３２には２つずつローラ４１が取り付けられているが、３つずつあるいはそれ以上取り付けるようにしても良い。
【００２３】
ガイドレール２１，２２に組み付けられた昇降台３０を上下方向に搬送するために、建築物に設けられたクレーン、ウインチあるいはホイストなどからなり駆動手段を構成する昇降機のワイヤ４２が昇降台３０に取り付けられるようになっている。ワイヤ４２を昇降機３０に取り付けるために、ガイドポスト３１，３２の上端部にはワイヤ４２が係合するフック４３が設けられている。フック４３はガイドポスト３１，３２に一体に設けるようにしても良く、ガイドポスト３１，３２にねじ止めしたり溶接して固定するようにしても良い。したがって、昇降台３０は昇降機によってガイドレール２１，２２に沿って上昇移動および下降移動することができる。比較的重量の嵩むガイドレール２１，２２を建築物１０に取り付け、ガイドレール２１，２２に沿って昇降台３０を上下動させることにより、昇降台３０自体を軽量化することが可能となり、円滑に昇降台３０を上昇移動させることができる。また、昇降機のワイヤ４２を停止させておくと、昇降台３０を所定の位置で停止させておくことができる。
【００２４】
昇降台３０をガイドレール２１，２２に対して所定の位置でロックさせることにより、昇降機のワイヤ４２を使用することなく、昇降台３０を停止させることができる。そのため、図３に示すようにそれぞれのガイドレール２１，２２にはロックピン４４が貫通する取付孔４５が形成され、図４に示すように取付孔４５に対応させてガイドポスト３１，３２には取付孔４６が形成されている。したがって、ガイドレール２１，２２とガイドポスト３１，３２との間に任意の本数のロックピン４４を取り付けることによって、昇降台３０を上下動案内装置２０に対してロックつまり締結させることができる。図示する場合にはロック部材としてロックピン４４が用いられているが、昇降台３０を上下動案内装置２０にロックするものであれば、ロックピン４４に限られることはない。
【００２５】
次に、上述した建築機材の搬出入装置を用いて建築作業を行う手順について説明する。上下動案内装置２０は図３に示されるように建築現場で組み立てられ、昇降台３０は図４に示されるように建築現場で組み立てられる。たとえば、建築物１０の４階部分までの建築が所定の段階まで終了した後に、まず、２階から４階のベランダ１１ａ〜１１ｃに上下動案内装置２０を締結する。締結するには、ガイドレール２１，２２を建築物１０の外側に配置して締結支柱２６を脚部材２４ａ，２４ｂと上側階の下面との間に取り付ける。これにより、脚部材２４ａ，２４ｂの部分でガイドレール２１，２２は強固に締結されるとともに、上下方向にガイドレール２１，２２が連結される。連結する際には連結金具２８を用いて下側のガイドレール２１，２２に上側のガイドレール２１，２２を連結することになる。
【００２６】
次いで、昇降台３０のローラ４１をガイドレール２１，２２に滑り込ませて昇降台３０を上下動案内装置２０に組み付ける。このときには、クレーンやホイストなどの駆動手段としての昇降機のワイヤ４２をフック４３に引っかけて昇降機により昇降台３０を上昇移動させる。ただし、２階部分に上下動案内装置２０が締結された状態のもとで昇降台３０をガイドレール２１，２２に装着するようにしても良く、また、ガイドレール２１，２２の上端部側からローラ４１を滑り込ませて昇降台３０を装着するようにしても良い。さらに、ガイドレール２１，２２に切り欠きを設ければ、昇降台３０を水平方向に移動させてガイドレール２１，２２に昇降台３０を装着することもできる。
【００２７】
ガイドレール２１，２２に装着された昇降台３０をワイヤ４２により所定の位置に停止させた状態のもと、あるいはロックピン４４により昇降台３０を停止させた状態のもとで、昇降台３０に建築機材を搬入する。このようにして昇降台３０の昇降ステージ３３に収容された建築機材を人手あるいは走行台車により所定の場所に搬送し、建築機材を用いて建築物の内部で所定の建築作業を行うことができる。建築機材としては、給排水パイプなどのように建築物に取り付けられる部材や型枠などのように建築作業に使用される部材などがある。
【００２８】
２階の建築作業に使用された建築機材を３階の建築作業に使用する場合には、２階部分の建築作業に使用された型枠などの建築機材を昇降台３０に搬入する。このようにして搬入された建築機材は、昇降台３０を昇降機のワイヤ４２によって昇降台３０を２階部分の位置から３階部分の位置まで上昇移動させた後に、昇降台３０から作業者により３階部分に搬入され、３階部分において建築機材を使用して建築作業が行われる。
【００２９】
次いで、２階部分の建築作業が終了したら、２階部分に装着された上下動案内装置２０を建築物１０から取り外して５階部分に取り付けてガイドレール２１，２２を４階部分のガイドレール２１，２２に連結する。このようにしてガイドレール盛り替え作業を行うことにより、所定段数の上下動案内装置２０は順次上側階に移動することになり、上下動案内装置２０が取り外された２階部分のベランダにフェンスや手摺りなどの取付作業を行う。
【００３０】
建築物の建築作業が進行するに伴って、所定数連結された上下動案内装置２０を順次上昇移動させることにより、２階側から順次３階、４階そして５階に建築機材を搬送することができ、最上階の部分まで搬送することができる。最上階の建築作業が終了したら、搬出入装置を分解して建築物から搬送される。
【００３１】
前述した場合はこの搬出入装置をまず２階の部分に取り付けるようにしているが、３階の部分から取り付けるようにしても良く、任意の階から取り付けることができる。また、３組の上下動案内装置２０を連結し、順次上側階に盛り替え作業を行うようにしているが、４組でも５組でも任意の組を連結させるようにすることができる。
【００３２】
一方、この搬出入装置を使用した建築機材の搬出入手順としては、ガイドレール２１，２２を２階あるいは３階から最上階まで連結させるようにしても良い。その場合には、建築物１０に建築機材を地上から任意の階の部分にも直接搬送することができる。たとえば、地上から４階部分に建築機材を搬送するには、４階の部分にまでガイドレール２１，２２が連なって取り付けられた状態のもとで、２階部分に停止された昇降台３０に建築資材を搬入し、次いで昇降台３０を４階の位置まで昇降機により上昇させる。４階の位置まで上昇した後に、その位置で昇降台３０を停止させた状態のもとで、作業者により建築資材が４階の内部に搬送されることになる。なお、１階部分に対する建築機材の搬入は、地上から直接建築物の内部に搬入することができるが、昇降台３０を利用するようにしても良い。
【００３３】
図５は本発明の他の実施の形態である建築機材の搬出入装置を示す断面図であり、図５においては前記実施の形態における部材と共通する部材には同一の符号が付されている。図５においては、昇降台３０をガイドレール２１，２２に沿って上下動させるためにウインチ５１が昇降機として昇降台３０に取り付けられており、このウインチ５１のワイヤ５２の先端はガイドポスト３１，３２に設けられたフック４３に止め付けられ、ワイヤ５２は上側階のガイドレール２１，２２に取り付けられた滑車５３に掛け渡されている。したがって、図５に示す場合には、昇降台３０はこれに取り付けられたウインチ４１によって自力で上下動することができる。なお、滑車５３を建築物１０に取り付けるようにしても良い。
【００３４】
図６は本発明の他の実施の形態である建築機材の搬出入装置の昇降台を示す側面図であり、この昇降台３０はガイドポスト３１，３２の上部側に昇降ステージ３３がブラケット３４により回動自在に取り付けられており、昇降ステージ３３の先端部とガイドポスト３１，３２の下端部との間には傾斜梁５１が取り付けられるようになっている。傾斜梁５１はガイドポスト３１，３２に固定されたブラケット５２と昇降ステージ３３に固定されたブラケット５３と間に連結されており、昇降ステージ３３は前述した場合と相違して下側から支持されるようになっている。このようなタイプの昇降台３０を建築機材の搬出入装置としても使用することができる。
【００３５】
本発明は前記実施の形態に限定されるものではなく、その要旨を逸脱しない範囲で種々変更可能である。たとえば、図示するガイドレール２１，２２は１階分の高さに相当する長さを有しているが、２階分あるいは３階分の長さとしても良い。図示する上下動案内装置２０は２本のガイドレール２１，２２を有しているが、３本あるいはそれ以上の数のガイドレールを上下動案内装置２０に設けるようにしても良い。
【００３６】
【発明の効果】
本発明によれば、ガイドレールは締結具により建築物の外側に容易に取り付けることができる。ガイドレールを建築進行に伴う建築物の高さの上昇に応じて連結することにより任意の長さとすることができる。ガイドレールに沿って転動するローラが昇降台に設けられているので、昇降台を任意の位置に停止させることができ、下側階から上側階に建築機材を搬送することができる。下側階で使用済みの建築機材を上側階で再使用する際には、昇降台によって迅速かつ容易に建築機材を搬送することができ、建築に要する期間を短縮することができる。比較的重量が嵩むガイドレールは建築物に取り付けられることになるので、ホイストやクレーンなどの駆動手段によって上下動するのは、軽量な昇降台のみであり、円滑に昇降台を上下動させることができる。
【図面の簡単な説明】
【図１】本発明の一実施の形態である建築機材の搬出入装置を示す正面図である。
【図２】図１におけるＩＩ−ＩＩ線に沿う断面図である。
【図３】上下動案内装置を示す斜視図である。
【図４】昇降台を示す斜視図である。
【図５】本発明の他の実施の形態である建築機材の搬出入装置を示す断面図である。
【図６】本発明の他の実施の形態である建築機材の搬出入装置の昇降台を示す側面図である。
【符号の説明】
１０　　　建築物
１１ａ〜１１ｅ　　ベランダ
２０　　　上下動案内装置
２１，２２　　ガイドレール
２３　　　連結棒材
２４ａ，２４ｂ　　脚部材
２５ａ，２５ｂ　　補強棒材
２６　　　締結支柱
２６ａ，２６ｂ　　パイプ部
２７　　　ねじ部
２７ａ　　ハンドル
２８　　　連結金具
２９ａ　　貫通孔
２９ｂ　　ねじ孔
３０　　　昇降台
３１，３２　　ガイドポスト
３３　　　昇降ステージ
３４　　　ブラケット
３５　　　ピン
３６　　　チェーン
３７　　　ブラケット
３８　　　ブラケット
３９　　　手摺り
４１　　　ローラ
４２　　　ワイヤ
４３　　　フック
４４　　　ロックピン
４５　　　取付孔
４６　　　取付孔
【図１】
2004143677.tif 000003
【図２】
2004143677.tif 000004
【図３】
2004143677.tif 000005
【図４】
2004143677.tif 000006
【図５】
2004143677.tif 000007
【図６】
2004143677.tif 000008